(57)【要約】      （修正有）【課題】他の電子製品と接続するためのコネクタを収納できる収納構造を有するストラップ装置を提供する。【解決手段】主にケース１、第一伝送部品２、第二伝送部品３及びケーブル４で構成する。該ケースに収納スペース１２１を設け、第一伝送部品は第一基板２１を有し、該第一基板は第一プラグ２２を延伸し、更に収納槽２３を設ける。第一プラグを収納スペースに収納する。第二伝送部品を収納槽に収納する。ケーブルの両端はそれぞれ第一伝送部品及び第二伝送部品を接続する。これにより、コネクターを汚れ及び外力による損壊から守ることができる。【選択図】図１
0003167768.tif 000002
【実用新案登録請求の範囲】
【請求項１】
ケース、第一伝送部品、第二伝送部品、ケーブルを含み、
ケースに一つの収納スペースを具有し、
第一伝送部品は、第一基板及び、第一基板から延伸する第一プラグを具有し、且つ第一基板に収納槽を設置し、該第一プラグを該収納スペースに収納し、
第二伝送部品は、該収納槽に収納し、及び、
ケーブルの両端はそれぞれ第一基板及び第二基板を接続することを特徴とする収納構造を具有するストラップ装置。
【請求項２】
前記ケースに定位ボードを具有し、該第一プラグを該収納スペースに差し込む際、該定位ボードにより第一基板を定位につけることを特徴とする請求項１記載の収納構造を具有するストラップ装置。
【請求項３】
前記第二伝送部品は、第二基板及び、第二基板から延伸する第二プラグを具有し、且つ該収納槽は、第二基板及び第二プラグに対応して設け、第二基板及び第二プラグと互いに嵌合して固定することを特徴とする請求項１記載の収納構造を具有するストラップ装置。
【請求項４】
第一伝送部品及び第二伝送部品、ケーブル、チップを含み、
第一伝送部品は第一基板を具有し、該第一基板に一つの収納槽を設け、
第二伝送部品は第二基板を具有し、該第二基板から第二プラグを延伸し、該第二プラグを該収納槽に収納し、
ケーブルの両端は、それぞれ第一伝送部品及び第二伝送部品を接続し、及び、
チップは、該第一基板に接続することを特徴とする収納構造を具有するストラップ装置。
【請求項５】
前記収納槽は、第二基板及び第二プラグに対応して設け、該第二基板及び第二プラグと互いに嵌合して固定することを特徴とする請求項４記載の収納構造を具有するストラップ装置。
【請求項６】
前記第二基板に形成するテーパー部は、ケーブルと接続する箇所まで傾斜するため、該収納槽がテーパー部と対応する部分に複数の斜面を具有し、該テーパー部は該斜面と対応して嵌合することを特徴とする請求項３或いは請求項５記載の収納構造を具有するストラップ装置。
【請求項７】
前記第二基板に一つのタッチポイントを形成することを特徴とする請求項１、或いは請求項４記載の収納構造を具有するストラップ装置。
【請求項８】
前記ストラップ紐は該第一伝送部品に通すことを特徴とする請求項１、或いは請求項４記載の収納構造を具有するストラップ装置。
【請求項９】
前記チップはワイヤレスモジュールであり、該第一基板の中に固定することを特徴とする請求項４記載の収納構造を具有するストラップ装置。
【請求項１０】
前記チップはメモリーカードであり、該第一基板に一つのカードスロットを設置し、該メモリーカードを差し込むことを特徴とする請求項４記載の収納構造を具有するストラップ装置。
【考案の詳細な説明】
【技術分野】
【０００１】
本考案はストラップ装置の構造に関し、特に収納構造を具有するストラップ装置の構造に関する。
【背景技術】
【０００２】
電子製品が日常生活の中で氾濫するなか、携帯電話やデジタルミュージックプレイヤー、デジタルカメラ、ビデオカメラなど、様々なメディア製品が広く使用されているため、デジタルデータを電子装置同士でシェアするのは、テクノロジーの発展が生み出したニーズの一つであり、それにより伝送線路はデータをトランスミッションするのに、欠かせないツールの一つとなった。
【０００３】
一般的に電子製品を購入する際、該規格に合う伝送線路が添付されている。該伝送線路はテクノロジーの進歩により、一般的なシリアルバスのコネクターに改良し、且つコネクター及び信号伝送線路の体積を一番小さく縮小した。その目的とは、ユーザーが使いやすく携帯しやすいためであり、伝送線路が大きなマーケットのニーズを満たすことができる。
【０００４】
頻繁に使用する電子製品である携帯電話は、既に人類の生活必需品となっており、ユーザーは肌身離さずに持ち歩いているが、前記の伝送線路のコードは収納しにくく、持ち歩くのは不便である。また、伝送線路のコネクターが露出しているため、汚れや外力によって損壊されやすいため、実際使用する際に、伝送できない状況が発生することがあり、これらを鑑みると、更なる改善が必要であった。
【先行技術文献】
【特許文献】
【０００５】
【特許文献１】実用新案登録第３１６１６３９号公報
【考案の概要】
【考案が解決しようとする課題】
【０００６】
前記公知構造の欠点を解決するため、本考案はコネクターを収納でき、伝送線路のコネクターを汚れや外力による損壊から守る収納構造を具有するストラップ装置を提供することを主な課題とする。
【課題を解決するための手段】
【０００７】
前記課題を解決するために、本考案は収納構造を具有するストラップ装置を提供する。ケース、第一伝送部品、第二伝送部品、ケーブルを含み、該ケースは一つの収納スペースを具有し、第一伝送部品は第一基板及び、第一基板から延伸する第一プラグを具有する。第一基板に収納槽を設置し、該第一プラグを該収納スペースに収納する。第二伝送部品は該収納槽に収納し、及び、ケーブルの両端はそれぞれ第一伝送部品及び第二伝送部品とを接続する。
【０００８】
前記課題を解決するため、本考案は収納構造を具有するストラップ装置を提供する。第一伝送部品、第二伝送部品、ケーブル及びチップを含み、第一伝送部品は第一基板を具有し、該第一基板に収納槽を設ける。第二伝送部品は第二基板を具有し、該第二基板から第二プラグを延伸し、該第二プラグは該収納槽に収納する。ケーブルの両端はそれぞれ第一伝送部品及び第二伝送部品と接続する。該チップは該第一基板と接続する。
【考案の効果】
【０００９】
本考案の収納構造を具有するストラップ装置によれば、ストラップ紐を使って電子製品に固定することで、収納構造を具有するストラップ装置は飾りとなる。それにより、伝送線路が携帯しやすく紛失し難いと同時に、第二伝送部品は第一伝送部品と接続するため、信号伝送線路は半分に折りたたむことができ、スペースを減少し、携帯しやすい。また、第一プラグと第二プラグはそれぞれ収納スペースと収納槽に差し込むため、露出せず、汚れ及び外力による損壊から守ることができる。該収納スペースは第一プラグに対応して設置し、第一プラグと嵌合する際、該定位ボードにより第一基板が定位に着き、収納する際に第一伝送部品が収納スペースから脱落するのを防止する。
【００１０】
また、第二基板のテーパー部は信号伝送線路の接続部まで傾斜するため、収納槽がテーパー部と対応する部分に、複数の斜面を具有し、互いに嵌合するため、収納過程にて第二伝送部品が収納槽から脱落するのを防止する。また、第一伝送部品の第一基板内にワイヤレスモジュール、或いはカードスロットを具有し、ワイヤレスモジュール或いは外付けメモリーカードをカードスロットに差し込むと、信号伝送線路と第二プラグが互いにデータをトランスミッションするため、ユーザーは多様化した伝送方法を使用することができる。更に前記様々な伝送線路をまとめ、第二基板はタッチポイントを持つタッチペンを成形する。電子製品にタッチモニターを具有する際に使用することができる。
【００１１】
更に、ケーブルの両端に接続する第一及び第二伝送部品のプラグを収納できるため、汚れや外力による損壊から守ることができるとともに、ストラップ紐を設置するため、電子製品に取り付けて、持ち歩くことができる。
【図面の簡単な説明】
【００１２】
【図１】本考案の収納構造を具有するストラップ装置(第１実施例)の立体分解図である。
【図２】本考案の収納構造を具有するストラップ装置の立体組立図である。
【図３】本考案の収納構造を具有するストラップ装置の使用状態略図である。
【図４】本考案の伝送線路の使用状態略図である。
【図５】本考案の収納構造を具有するストラップ装置の第２実施例の略図である。
【図６】本考案の収納構造を具有するストラップ装置の第３実施例の略図である。
【図７】本考案の収納構造を具有するストラップ装置の第４実施例の略図である。
【考案を実施するための形態】
【実施例】
【００１３】
本考案による収納構造を具有するストラップ装置を明確に示すために、実施例を図に沿って詳細な説明を行うが、これにより本考案の保護範囲が限定されるものではない。
【００１４】
図１に示すのは、本考案の収納構造を具有するストラップ装置の第１実施例の立体分解図である。該構造は主にケース１、第一伝送部品２、第二伝送部品３及びケーブル４を具有する。
【００１５】
ケース１は側板１１及び側板１１から延伸するブロック１２を具有し、それにより側板１１はブロック１２及び定位ボード１３に分けることができる。また、ブロック１２に収納スペース１２１を設け、定位ボード１３は一つの頂面１３１を具有し、該頂面１３１より凸ブロック１３２を突出し、該凸ブロック１３２は穴１３３を具有し、該穴１３３にストラップ紐１４を通す。
【００１６】
第一伝送部品２は第一基板２１及び、第一基板２１から延伸する第一プラグ２２を具有し、且つ第一基板２１に収納槽２３を設置する。
第二伝送部品３は第二基板３１及び、第二基板３１から延伸する第二プラグ３２を具有し、また、第二基板３１の第二プラグ３２と反対側にテーパー部３１１を形成する。ケーブル４の両端はそれぞれ第一基板２１及び第二基板３１を接続することで、第一伝送部品２と第二伝送部品３がケーブル４によって接続される。
【００１７】
図２に示すように、本考案は組み立てる際、第一プラグ２２を収納スペース１２１に収納し、第二伝送部品３を収納槽２３に収納する。該収納スペース１２１は第一プラグ２２に対応して設け、第一プラグ２２を収納スペース１２１に嵌合する。該定位ボード１３により第一基板２１が定位に着き、収納する際に第一伝送部品２が収納スペース１２１から脱落するのを防止する。
【００１８】
また、収納槽２３は第二基板３１及び第二プラグ３２に対応して設け、第二基板３１及び第二プラグ３２と互いに嵌合して固定する。該第二基板３１のテーパー部３１１はケーブル４と接続する箇所まで傾斜するため、収納槽２３がテーパー部３１１と対応する部分に複数の斜面２３１を具有し、テーパー部３１１は該斜面２３１と対応して嵌合するため、収納する際に、第二伝送部品３が収納槽２３から脱落するのを防止する。
【００１９】
図３に示すように、本考案の第１実施例の収納構造を具有するストラップ装置の使用状態である。組み立てた後、ストラップ紐１４を使って、携帯電話１００などの電子製品に固定する。ストラップ紐１４を携帯電話１００のストラップホール１０１に通し、収納構造を具有するストラップ装置を携帯電話の飾りとすることで、ケーブル４が携帯しやすく、紛失しにくい。同時に第二伝送部品３が第一伝送部品２と接続するため、ケーブル４が二つに折りたたむことができ、スペースを縮小するため、ユーザーが更に携帯しやすい。また、第一プラグ２２と第二プラグ３２をそれぞれ収納スペース１２１と収納槽２３に嵌合するため、第一プラグ２２と第二プラグ３２が露出せず、汚れと外力による損壊から守ることができる。
【００２０】
図４に示すように、本考案の本実施例の伝送線路の使用状態である。まず、第一プラグ２２と第二プラグ３２は同じ、或いは異なる形のインターフェイス接続コネクターとすることができ、ＰＳ／２、ＬＰＴ、ＲＳ−２３２、ＩｒＤＡ、ＩＤＥ、ＵＳＢなどの接続ポートに使用することができる。特にＵＳＢ(ユニバーサルシリアルバス)は、更にMini ＵＳＢ、Micro ＵＳＢなどに使用することができる。ケーブル４は、ここでは信号伝送線路４１であり、該信号伝送線路４１は第一基板２１と第二基板３１と接続することで、第一伝送部品２と第二伝送部品３は、信号伝送線路４１を通じて互いにデータをトランスミッションする。
【００２１】
また、該収納構造を具有するストラップ装置は、ストラップ紐を携帯電話１００のストラップホール１０１に通し、該第二プラグ３２は当該電子製品の規格に合うため、携帯電話１００のポート１０２と第二プラグ３２は、合致する接続インターフェイスであり、第一プラグ２２とコンピューター２００の送信スロット２０１は、合致する接続インターフェイスである。第二プラグ３２とポート１０２及び、第一プラグ２２と送信スロット２０１を接続するとき、携帯電話１００とパソコン２００のデジタルデータは、信号伝送線路４１を介し、トランスミッションすることができる。
【００２２】
図５に示すのは、本考案の収納構造を具有するストラップ装置の第２実施例である。該構造は主に第一伝送部品２、第二伝送部品３及びケーブル４を含む。
第一伝送部品２は第一基板２１及び第一基板に設ける収納槽２３を具有し、該第一基板２１の上にストラップ紐２４を設置する。
【００２３】
第二伝送部品３は第二基板３１及び第二基板３１から突出する第二プラグ３２を具有する。該第二プラグ３２を収納槽２３に収納するため、収納槽２３は第二基板３１及び第二プラグ３２に対応して設置し、第二基板３１及び第二プラグ３２を互いに嵌合して固定する。
ケーブル４の両端にそれぞれ第一基板２１及び第二基板３１を接続し、第一伝送部品２と第二伝送部品３はケーブル４によって接続する。
【００２４】
図６に示すように、チップ５は第一基板２１に挿入する。該チップ５はワイヤレスモジュール５１であり、該ワイヤレスモジュール５１は第一基板２１内に固定する。
該収納槽２３は第二基板３１及び第二プラグ３２に対応して設置し、第二基板３１及び第二プラグ３２と互いに嵌合して固定する。該第二基板３１のテーパー部３１１はケーブル４と接続する箇所まで傾斜するため、収納槽２３がテーパー部３１１と対応する部分に複数の斜面２３１を具有し、テーパー部３１１は該斜面２３１と対応して嵌合するため、収納する際に、第二伝送部品３が収納槽２３から脱落するのを防止する。
【００２５】
また、第二プラグ３２の接続インターフェイスコネクターはＰＳ／２、ＬＰＴ、ＲＳ−２３２、ＩｒＤＡ、ＩＤＥ、ＵＳＢなどの接続ポートに使用することができる。特にＵＳＢ(ユニバーサルシリアルバス)は更にMini ＵＳＢ、Micro ＵＳＢなどに使用することができる。ケーブル４は、ここでは信号伝送線路４１であり、該信号伝送線路４１は第一伝送部品２と第二伝送部品３と接続し、ワイヤレスモジュール５１と第二プラグ３２は信号伝送線路４１を介して互いにデータをトランスミッションするため、ユーザーは更に多様化した伝送方法を使用することができる。
【００２６】
図６に示すのは、本考案の収納構造を具有するストラップ装置の第３実施例である。該チップ５はメモリーカード５２であり、第一基板にメモリーカード５２を挿入するカードスロット２５を設ける。該カードスロット２５はＭＳ、Ｍ２、ＴＦ、ＳＤ、ＳＤＨＣ、Micro-ＳＤなどのメモリーカードを読み取ることができる。また、第二プラグ３２の接続インターフェイスコネクターは、ＰＳ／２、ＬＰＴ、ＲＳ−２３２、ＩｒＤＡ、ＩＤＥ、ＵＳＢなどの接続ポートに使用することができる。
【００２７】
特にＵＳＢ(ユニバーサルシリアルバス)は、更にMini ＵＳＢ、Micro ＵＳＢなどに使用することができる。ケーブル４、はここでは信号伝送線路４１であり、該信号伝送線路４１は第一基伝送部品２と第二伝送部品３と接続することで、メモリーカード５２をカードスロット２５に差し込む際、信号伝送線路４１と第二プラグ３２が互いにデータをトランスミッションし、ユーザーは多様化した伝送方法を用いることができ、且つ拡張機能を具有する。
【００２８】
図７に示すのは、本考案の収納構造を具有するストラップ装置の第４実施例である。該第二基板３１にタッチポイント３３を成形し、図に示すタッチポイント３３は四角錐状であるが、それに限られない。タッチポイント３３により、第二伝送部品３はタッチペンとなる。電子製品にタッチモニターを具有する際、ユーザーは携帯するタッチペンを使用することができる。該第一プラグ２２と第二プラグ３２は同じ、或いは異なる形のインターフェイス接続コネクターとすることができ、ＰＳ／２、ＬＰＴ、ＲＳ−２３２、ＩｒＤＡ、ＩＤＥ、ＵＳＢなどの接続ポートに使用することができる。特にＵＳＢ(ユニバーサルシリアルバス)は更にMini ＵＳＢ、Micro ＵＳＢなどに使用することができる。ケーブル４は、ここでは信号伝送線路４１である。
【００２９】
前述したように、本考案の各実施例は以上のような構成であるので、ストラップ紐を使って電子製品に固定することで、収納構造を具有するストラップ装置は飾りとなる。それにより、伝送線路が携帯しやすく紛失し難いと同時に、第二伝送部品は第一伝送部品と接続するため、信号伝送線路は半分に折りたたむことができ、スペースを減少し、携帯しやすい。また、第一プラグと第二プラグはそれぞれ収納スペースと収納槽に差し込むため、露出せず、汚れ及び外力による損壊から守ることができる。該収納スペースは第一プラグに対応して設置し、第一プラグと嵌合する際、該定位ボードにより第一基板が定位に着き、収納する際に第一伝送部品が収納スペースから脱落するのを防止する。
【００３０】
また、第二基板のテーパー部は信号伝送線路の接続部まで傾斜するため、収納槽がテーパー部と対応する部分に、複数の斜面を具有し、互いに嵌合するため、収納過程にて第二伝送部品が収納槽から脱落するのを防止する。また、第一伝送部品の第一基板内にワイヤレスモジュール、或いはカードスロットを具有し、ワイヤレスモジュール或いは外付けメモリーカードをカードスロットに差し込むと、信号伝送線路と第二プラグが互いにデータをトランスミッションするため、ユーザーは多様化した伝送方法を使用することができる。更に前記様々な伝送線路をまとめ、第二基板はタッチポイントを持つタッチペンを成形する。電子製品にタッチモニターを具有する際に使用することができる。
【００３１】
更に、ケーブルの両端に接続する第一及び第二伝送部品のプラグを収納できるため、汚れや外力による損壊から守ることができるとともに、ストラップ紐を設置するため、電子製品に取り付けて、持ち歩くことができる。
なお、本考案の特徴を損なうものでなければ、上記の各実施例に限定されるものでないことは勿論である。
【符号の説明】
【００３２】
１  ケース
１１  側板
１２  ブロック
１２１  収納スペース
１３  定位ボード
１３１  頂面
１３２  凸ブロック
１３３  穴
１４  ストラップ紐
２  第一伝送部品
２１  第一基板
２２  第一プラグ
２３  収納槽
２３１  斜面
２４  ストラップ紐
２５  カードスロット
３  第二伝送部品
３１  第二基板
３１１  テーパー部
３２  第二プラグ
３３  タッチポイント
４  ケーブル
４１  信号伝送線路
５  チップ
５１  ワイヤレスモジュール
５２  メモリーカード
１００  携帯電話
１０１  ストラップホール
１０２  ポート
２００  パソコン
２０１  送信スロット
【図１】
0003167768.tif 000003
【図２】
0003167768.tif 000004
【図３】
0003167768.tif 000005
【図４】
0003167768.tif 000006
【図５】
0003167768.tif 000007
【図６】
0003167768.tif 000008
【図７】
0003167768.tif 000009
【手続補正書】
【提出日】平成23年3月3日(2011.3.3)
【手続補正１】
【補正対象書類名】実用新案登録請求の範囲
【補正対象項目名】全文
【補正方法】変更
【補正の内容】
【実用新案登録請求の範囲】
【請求項１】
ケース、第一伝送部品、第二伝送部品、ケーブルを含み、
ケースに一つの収納スペースを具有し、
第一伝送部品は、第一基板及び、第一基板から延伸する第一プラグを具有し、且つ第一基板に収納槽を設置し、該第一プラグを該収納スペースに収納し、
第二伝送部品は、該収納槽に収納し、及び、
前記ケーブルの一端には前記第一伝送部品を接続し、該ケーブルの他端には第二伝送部品を接続することを特徴とする収納構造を具有するストラップ装置。
【請求項２】
前記ケースに定位ボードを具有し、該第一プラグを該収納スペースに差し込む際、該定位ボードにより第一基板を定位につけることを特徴とする請求項１記載の収納構造を具有するストラップ装置。
【請求項３】
前記第二伝送部品は、第二基板及び、第二基板から延伸する第二プラグを具有し、且つ該収納槽は、第二基板及び第二プラグに対応して設け、第二基板及び第二プラグと互いに嵌合して固定することを特徴とする請求項１記載の収納構造を具有するストラップ装置。
【請求項４】
第一伝送部品及び第二伝送部品、ケーブル、チップを含み、
第一伝送部品は第一基板を具有し、該第一基板に一つの収納槽を設け、
第二伝送部品は第二基板を具有し、該第二基板から第二プラグを延伸し、該第二プラグを該収納槽に収納し、
ケーブルの両端は、それぞれ第一伝送部品及び第二伝送部品を接続し、及び、
チップは、該第一基板に接続することを特徴とする収納構造を具有するストラップ装置。
【請求項５】
前記収納槽は、第二基板及び第二プラグに対応して設け、該第二基板及び第二プラグと互いに嵌合して固定することを特徴とする請求項４記載の収納構造を具有するストラップ装置。
【請求項６】
前記第二基板に形成するテーパー部は、ケーブルと接続する箇所まで傾斜するため、該収納槽がテーパー部と対応する部分に複数の斜面を具有し、該テーパー部は該斜面と対応して嵌合することを特徴とする請求項３或いは請求項５記載の収納構造を具有するストラップ装置。
【請求項７】
前記第二基板に一つのタッチポイントを形成することを特徴とする請求項１、或いは請求項４記載の収納構造を具有するストラップ装置。
【請求項８】
ストラップ紐を前記ケースの穴、或いは前記第一伝送部品に通すことを特徴とする請求項１、或いは請求項４記載の収納構造を具有するストラップ装置。
【請求項９】
前記チップはワイヤレスモジュールであり、該第一基板の中に固定することを特徴とする請求項４記載の収納構造を具有するストラップ装置。
【請求項１０】
前記チップはメモリーカードであり、該第一基板に一つのカードスロットを設置し、該メモリーカードを差し込むことを特徴とする請求項４記載の収納構造を具有するストラップ装置。